(57)【要約】【課題】眼科撮影装置により取得された画像へのゴーストの描出を抑制するための新たな技術を提供する。【解決手段】眼科撮影装置は、投射系と、受光系と、画像形成部と、制御部とを含む。投射系は、第１光源からの光を偏向し、偏向された光を被検眼に投射する。受光系は、投射系により投射された光の被検眼からの戻り光の一部を遮光する遮光領域が設けられた遮光部材を含み、遮光部材を通過又は反射した戻り光を受光する。画像形成部は、受光系による受光結果に基づいて画像を形成する。制御部は、遮光部材の位置、遮光領域の位置及び遮光領域の形態の少なくとも１つを変更する。【選択図】図４
2017148097.tif 000002
【特許請求の範囲】
【請求項１】
第１光源からの光を偏向し、偏向された光を被検眼に投射する投射系と、
前記投射系により投射された前記光の前記被検眼からの戻り光の一部を遮光する遮光領域が設けられた遮光部材を含み、前記遮光部材を通過又は反射した前記戻り光を受光する受光系と、
前記受光系による受光結果に基づいて画像を形成する画像形成部と、
前記遮光部材の位置、前記遮光領域の位置及び前記遮光領域の形態の少なくとも１つを変更する制御部と、
を含む眼科撮影装置。
【請求項２】
画角を変更するための画角変更部を含み、
前記制御部は、前記画角変更部により設定された画角に応じて前記遮光部材の位置、前記遮光領域の位置及び前記遮光領域の形態の少なくとも１つを変更する
ことを特徴とする請求項１に記載の眼科撮影装置。
【請求項３】
前記制御部は、前記被検眼の視度に応じて前記遮光部材の位置、前記遮光領域の位置及び前記遮光領域の形態の少なくとも１つを変更する
ことを特徴とする請求項１又は請求項２に記載の眼科撮影装置。
【請求項４】
前記制御部は、前記被検眼の角膜の形状を表す角膜情報に応じて前記遮光部材の位置、前記遮光領域の位置及び前記遮光領域の形態の少なくとも１つを変更する
ことを特徴とする請求項１〜請求項３のいずれか一項に記載の眼科撮影装置。
【請求項５】
操作部を含み、
前記角膜情報は、前記操作部を用いて指定される
ことを特徴とする請求項４に記載の眼科撮影装置。
【請求項６】
第２光源からの光に基づく測定光を前記被検眼に投射し、その戻り光と前記第２光源からの光に基づく参照光との干渉光を受光する干渉光学系と、
前記干渉光学系による受光結果に基づいて前記角膜情報を求める角膜情報算出部と、
を含む
ことを特徴とする請求項４又は請求項５に記載の眼科撮影装置。
【請求項７】
前記遮光部材の位置の変更は、前記受光系の光軸に沿った方向における位置の変更を含む
ことを特徴とする請求項１〜請求項６のいずれか一項に記載の眼科撮影装置。
【請求項８】
前記遮光部材の位置の変更は、前記受光系の光路への挿入及び当該光路からの退避の少なくとも一方を含む
ことを特徴とする請求項１〜請求項６のいずれか一項に記載の眼科撮影装置。
【請求項９】
前記投射系は、第１波長帯光及び第２波長帯光を含む光を前記被検眼に投射し、
前記遮光部材は、前記第１波長帯光の戻り光の一部を遮光する第１遮光領域が設けられた第１遮光部材と、前記第２波長帯光の戻り光の一部を遮光する第２遮光領域が設けられた第２遮光部材とを含み、
前記制御部は、前記第１遮光部材の位置、前記第１遮光領域の位置及び前記第１遮光領域の形態の少なくとも１つを変更する第１遮光制御を実行し、前記第２遮光部材の位置、前記第２遮光領域及び前記第２遮光領域の形態の少なくとも１つを変更する第２遮光制御を実行する
ことを特徴とする請求項１〜請求項８のいずれか一項に記載の眼科撮影装置。
【請求項１０】
前記投射系の光路に前記受光系の光路を結合する光路結合部材を含み、
前記受光系は、前記第１遮光部材を通過又は反射した前記第１波長帯光の戻り光と前記第２遮光部材を通過又は反射した前記第２波長帯光の戻り光とを検出する検出器を含み、
前記第１遮光部材及び前記第２遮光部材は、前記光路結合部材と前記検出器との間に配置されている
ことを特徴とする請求項９に記載の眼科撮影装置。
【請求項１１】
前記投射系により投射された前記光の前記被検眼の角膜からの反射光により形成された像をリレーするリレー光学系を含み、
前記遮光部材は、前記像が形成された位置と光学的に共役な位置に配置されている
ことを特徴とする請求項１〜請求項１０のいずれか一項に記載の眼科撮影装置。
【発明の詳細な説明】
【技術分野】
【０００１】
この発明は、眼科撮影装置に関する。
【背景技術】
【０００２】
眼疾患のスクリーニングなどを行うための眼科撮影装置には、簡便に広い視野で被検眼の眼底などの撮影が可能なものが求められている。このような眼科撮影装置として、走査型レーザー検眼鏡（Ｓｃａｎｎｉｎｇ  Ｌａｓｅｒ  Ｏｐｈｔｈａｌｍｏｓｃｏｐｅ：以下、ＳＬＯ）が知られている。ＳＬＯは、光で眼底をスキャンし、その戻り光を受光デバイスで検出することにより眼底の画像を形成する装置である。
【０００３】
このようなＳＬＯを用いて取得された画像には、画角が広くなるほど対物レンズや被検眼の角膜の表面反射に起因したゴースト（ノイズ）が描出されやすくなることが知られている。例えば特許文献１には、中心部に黒点を有する黒点板を備えた光学系を含むＳＬＯが開示されている。この黒点板は、対物レンズからの反射光を除去するために用いられている。
【先行技術文献】
【特許文献】
【０００４】
【特許文献１】特開２００７−１１７６２９号公報
【発明の概要】
【発明が解決しようとする課題】
【０００５】
しかしながら、画角の変更や視度調整が行われた場合、光学系の配置関係が変化するため、角膜による反射像の共役点の位置が変化したり、角倍率や収差が変化したりする。共役点の位置は、被検眼の角膜形状によっても変化する。従って、画角の変更や視度調整が行われた場合や被検眼が変更された場合には、ゴーストを除去するための黒点板の位置や黒点板により遮蔽すべき領域のサイズ等が変化する。従って、特許文献１に開示された手法では、画角の変更や視度調整が行われた場合や被検眼が変更された場合には、ゴーストを除去することができないという問題がある。
【０００６】
この発明は、このような事情に鑑みてなされたものであり、その目的は、眼科撮影装置により取得された画像へのゴーストの描出を抑制するための新たな技術を提供することにある。
【課題を解決するための手段】
【０００７】
実施形態に係る眼科撮影装置は、投射系と、受光系と、画像形成部と、制御部とを含む。投射系は、第１光源からの光を偏向し、偏向された光を被検眼に投射する。受光系は、投射系により投射された光の被検眼からの戻り光の一部を遮光する遮光領域が設けられた遮光部材を含み、遮光部材を通過又は反射した戻り光を受光する。画像形成部は、受光系による受光結果に基づいて画像を形成する。制御部は、遮光部材の位置、遮光領域の位置及び遮光領域の形態の少なくとも１つを変更する。
【発明の効果】
【０００８】
実施形態によれば、ゴーストの描出が抑制された画像の取得が可能な眼科撮影装置を提供することができる。
【図面の簡単な説明】
【０００９】
【図１】実施形態に係る眼科撮影装置の光学系の構成の一例を示す概略図である。
【図２】実施形態に係る眼科撮影装置の光学系の構成の一例を示す概略図である。
【図３】実施形態に係る眼科撮影装置の光学系の構成の一例を示す概略図である。
【図４】実施形態に係る眼科撮影装置の処理系の構成の一例を示す概略図である。
【図５】実施形態に係る眼科撮影装置の動作説明図である。
【図６】実施形態に係る眼科撮影装置の動作説明図である。
【図７】実施形態に係る眼科撮影装置の動作説明図である。
【図８】実施形態に係る眼科撮影装置の第１動作例のフロー図である。
【図９】実施形態に係る眼科撮影装置の第１動作例のフロー図である。
【図１０】実施形態に係る眼科撮影装置の動作説明図である。
【図１１】実施形態に係る眼科撮影装置の動作説明図である。
【図１２】実施形態に係る眼科撮影装置の第２動作例のフロー図である。
【図１３】実施形態に係る眼科撮影装置の第２動作例のフロー図である。
【図１４】実施形態の変形例に係る眼科撮影装置の光学系の構成例を示す概略図である。
【発明を実施するための形態】
【００１０】
この発明に係る眼科撮影装置の実施形態の例について、図面を参照しながら詳細に説明する。なお、この明細書において引用された文献の記載内容や任意の公知技術を、以下の実施形態に援用することが可能である。
【００１１】
実施形態に係る眼科撮影装置は、光スキャナを用いて光源からの光を偏向し、偏向された光を被検眼（対象眼、患者眼）に照射することにより、被検眼の瞳孔を通して光を被検眼の後眼部（眼底、硝子体等）の広い範囲に照射することが可能な装置である。このような構成は、後眼部に光を照射することが可能な任意の眼科撮影装置に適用することができる。後眼部に光を照射することが可能な眼科撮影装置には、レーザー光を眼底における治療部位に照射するためのレーザー治療装置や、被検眼に固視させた状態で視標を移動させながら被検者（患者）の応答に基づき視野を測定するための視野計などがある。
【００１２】
また、実施形態に係る眼科撮影装置は、被検眼の後眼部からの戻り光を受光することにより当該後眼部における所定データの分布（画像や層厚分布や病変分布など）を形成することが可能である。このような構成は、後眼部を光で走査してデータを取得可能な任意の眼科撮影装置に適用することができる。後眼部を光で走査してデータを取得可能な眼科撮影装置には、共焦点光学系を用いたレーザー走査により眼底の正面画像を得るＳＬＯや、光コヒーレンストモグラフィ（Ｏｐｔｉｃａｌ  Ｃｏｈｅｒｅｎｃｅ  Ｔｏｍｏｇｒａｐｈｙ：以下、ＯＣＴ）を用いて眼底の断層像を得る光干渉断層計や、ＳＬＯの機能と光干渉断層計の機能とを組み合わせた複合機などがある。以下、実施形態に係る眼科撮影装置が、ＳＬＯの機能と光干渉断層計の機能とを有する場合について説明する。特に、ＳＬＯは２色のカラー画像の取得が可能な場合について説明するが、１色のモノクロ画像や３色以上のカラー画像を取得する場合も同様である。
【００１３】
以下では、被検者から見て左右方向をＸ方向とし、上下方向をＹ方向とし、被検者から見て光学系の奥行き方向をＺ方向として説明する。
【００１４】
［光学系］
図１〜図３に、実施形態に係る眼科撮影装置の光学系の構成例を示す。実施形態に係る眼科撮影装置は、撮影モードに対応した範囲の被検眼の画像を取得することが可能である。眼科撮影装置は、撮影モードに対応した対物レンズユニットを光学系の光軸に選択的に配置することが可能である。
【００１５】
図１は、広角（広画角）撮影モードに設定されているときの眼科撮影装置の光学系の構成例を表す。図２は、撮影モードに応じて切り替え可能な実施形態に係る対物レンズ系の構成例を表す。図２において、図１と同様の部分には同一符号を付し、適宜説明を省略する。図３は、高倍率（狭角（狭画角））撮影モードに設定されているときの眼科撮影装置の光学系の構成例を表す。図３において、図１又は図２と同様の部分には同一符号を付し、適宜説明を省略する。図１及び図３では、被検眼Ｅの眼底Ｅｆと光学的に共役な位置が眼底共役位置Ｐとして図示され、被検眼Ｅの瞳と光学的に共役な位置が瞳共役位置Ｑとして図示されている。また、角膜前面の反射により角膜反射像（第１プルキンエ像）が形成される位置と光学的に共役な位置が角膜反射像共役位置Ｒとして図示されている。角膜に平行光が入射したとき、角膜曲率半径の半分の位置に角膜反射像の虚像が形成される。
【００１６】
光学系１００は、対物レンズ系１１０を介して被検眼に光を投射する投射系と、投射系により被検眼Ｅに投射された光の戻り光を対物レンズ系１１０を介して受光する受光系とを含む。眼科撮影装置は、受光系による受光結果に基づいて画像を形成する。実施形態に係る眼科撮影装置は、ＳＬＯ画像及びＯＣＴ画像を形成することが可能である。すなわち、光学系１００は、ＳＬＯ光学系１３０と、ＯＣＴ光学系１４０とを含む。ＳＬＯ光学系１３０は、ＳＬＯ投射系と、ＳＬＯ受光系とを含む。ＯＣＴ光学系１４０は、ＯＣＴ投射系と、ＯＣＴ受光系とを含む。
【００１７】
眼科撮影装置には、被検眼の前眼部を撮影するための前眼部撮影系（前眼部観察系）１２０が設けられている。光学系１００は、対物レンズ系１１０や前眼部撮影系１２０と共に、図示しない移動機構（後述の移動機構１００Ｄ）によりＸ方向、Ｙ方向及びＺ方向に移動可能である。眼科撮影装置は、前眼部撮影系１２０により得られた被検眼Ｅの前眼部画像に基づいて移動機構により光学系１００等を移動することにより、被検眼Ｅに対して光学系１００の位置合わせを行うためのアライメントを行うことが可能である。以下では、光学系１００が対物レンズ系１１０や前眼部撮影系１２０を含む場合について説明するが、光学系１００がこれらを含まない構成であってもよい。
【００１８】
（対物レンズ系）
眼科撮影装置は、撮影モードに応じた対物レンズユニットを光学系１００の光軸Ｏに配置することが可能である。この実施形態では、撮影モードには、第１範囲（例えば画角が１００度）で被検眼Ｅを撮影する広角撮影モードと、第１範囲より狭い第２範囲（例えば画角が５０度）で被検眼Ｅを撮影する高倍率撮影モードとがある。広角撮影モードでは、被検眼Ｅの第１範囲を表す広角の画像（ＳＬＯ画像又はＯＣＴ画像）が取得される。高倍率撮影モードでは、被検眼Ｅの第１範囲より狭い第２範囲を表す高倍率（狭角）の画像（ＳＬＯ画像又はＯＣＴ画像）が取得される。
【００１９】
対物レンズ系１１０は、対物レンズユニット１１０Ａ、１１０Ｂを含む（図２参照）。対物レンズ系１１０には、画角を変更するための画角変更機構１１５が設けられている。対物レンズユニット１１０Ａ、１１０Ｂは、画角変更機構１１５により光学系１００の光軸Ｏに対して挿脱可能である。画角変更機構１１５は、例えば公知の回転機構又はスライド機構を含む。画角変更機構１１５により対物レンズユニット１１０Ａ、１１０Ｂを手動で光軸Ｏに選択的に配置させることが可能である。広角撮影モードでは、光学系１００の光軸に対物レンズユニット１１０Ａの光軸が一致するように配置される（図１）。高倍率撮影モードでは、光軸Ｏに対物レンズユニット１１０Ｂの光軸が一致するように配置される（図３）。この場合、対物レンズ系１１０には、光軸Ｏに配置された対物レンズユニットの種別を検出する検出部が設けられており、後述の制御部２００は、光軸Ｏに配置された対物レンズユニットの種別の検出結果から撮影モードの種別の特定が可能である。なお、画角変更機構１１５は、制御部２００からの制御を受け、対物レンズユニット１１０Ａ、１１０Ｂを自動で光軸Ｏに選択的に配置させてもよい。
【００２０】
対物レンズユニット１１０Ａは、２以上のレンズを含む。２以上のレンズの間には、ダイクロイックミラーＤＭ１Ａが設けられる。例えば、対物レンズユニット１１０Ａは、凸レンズ１１１Ａ、１１２Ａと、凹レンズ１１３Ａとを含むレンズユニット（ナグラータイプ）であってよい。被検眼Ｅの側から凸レンズ１１１Ａ、１１２Ａ、及び凹レンズ１１３Ａの順序で配置されている。凸レンズ１１２Ａと凹レンズ１１３Ａとの間にダイクロイックミラーＤＭ１Ａが配置されている。ダイクロイックミラーＤＭ１Ａは、広角撮影モードにおいて、ＳＬＯ光学系１３０の光路及びＯＣＴ光学系１４０の光路の双方に前眼部撮影系１２０の光路を結合する光路結合部材である。ダイクロイックミラーＤＭ１Ａと凹レンズ１１３Ａとの間に眼底（網膜）と光学的に共役な位置（眼底共役位置）Ｐ又はその近傍が配置されている。対物レンズユニット１１０Ａは、ダイクロイックミラーＤＭ１Ａを含んでもよい。
【００２１】
ダイクロイックミラーＤＭ１Ａは、ＳＬＯ光学系１３０からの光（ＳＬＯ光）、その被検眼Ｅからの戻り光、ＯＣＴ光学系１４０からの光（ＯＣＴ光、測定光）及びその被検眼Ｅからの戻り光を透過させる。ダイクロイックミラーＤＭ１Ａは、前眼部撮影系１２０からの光を被検眼Ｅに向けて反射し、その被検眼Ｅからの戻り光を前眼部撮影系１２０に向けて反射する。
【００２２】
対物レンズユニット１１０Ｂは、少なくとも１つのレンズを含む。当該少なくとも１つのレンズに対して光源（ＳＬＯ光源及びＯＣＴ光源）側にダイクロイックミラーＤＭ１Ｂが設けられる。例えば、対物レンズユニット１１０Ｂは、凸レンズ１１１Ｂを含んでよい。ダイクロイックミラーＤＭ１Ｂは、高倍率撮影モードにおいて、ＳＬＯ光学系１３０の光路及びＯＣＴ光学系１４０の光路の双方に前眼部撮影系１２０の光路を結合する光路結合部材である。対物レンズユニット１１０Ｂは、ダイクロイックミラーＤＭ１Ｂを含んでもよい。
【００２３】
ダイクロイックミラーＤＭ１Ｂは、ダイクロイックミラーＤＭ１Ａと同様に、ＳＬＯ光学系１３０からの光（ＳＬＯ光）、その被検眼Ｅからの戻り光、ＯＣＴ光学系１４０からの光（ＯＣＴ光、測定光）及びその被検眼Ｅからの戻り光を透過させる。また、ダイクロイックミラーＤＭ１Ｂは、前眼部撮影系１２０からの光を被検眼Ｅに向けて反射し、その被検眼Ｅからの戻り光を前眼部撮影系１２０に向けて反射する。光軸Ｏに対物レンズユニット１１０Ｂが配置されているときの光軸Ｏ上におけるダイクロイックミラーＤＭ１Ｂの位置は、光軸Ｏに対物レンズユニット１１０Ａが配置されているときの光軸Ｏ上におけるダイクロイックミラーＤＭ１Ａの位置と略同じであってよい。それにより、撮影モードを変更したとき、前眼部撮影系１２０の位置や向きの調整が不要になる。
【００２４】
対物レンズユニット１１０Ａが凸レンズ１１１Ａ、１１２Ａと凹レンズ１１３Ａだけを含み、対物レンズユニット１１０Ｂが凸レンズ１１１Ｂだけを含んでもよい。それにより、光軸Ｏに配置される対物レンズユニットを切り替えたときにダイクロイックミラーＤＭ１Ａ、ＤＭ１Ｂを１つのダイクロイックミラーで共用することが可能である。
【００２５】
対物レンズ系１１０は、図示しない移動機構（後述の移動機構１１０Ｄ）により光軸Ｏに沿って移動可能である。それにより、光学系１００に対して対物レンズ系１１０をＺ方向に移動することが可能になり、ＳＬＯ光学系１３０及びＯＣＴ光学系１４０の双方の焦点位置を変更することができる。
【００２６】
以下、主として、光軸Ｏに対物レンズユニット１１０Ａが配置されている場合について説明する。
【００２７】
（前眼部撮影系）
前眼部撮影系１２０は、前眼部照明光源１２１と、コリメートレンズ１２２と、前眼部撮影カメラ１２３と、結像レンズ１２４と、ビームスプリッタＢＳ１とを含む。ビームスプリッタＢＳ１は、被検眼Ｅの前眼部を照明するための照明光の光路に、その戻り光の光路を結合する光路結合部材である。
【００２８】
前眼部照明光源１２１は、被検眼Ｅの前眼部を照明するための光源である。前眼部撮影カメラ１２３は、前眼部照明光源１２１により照明された被検眼Ｅの前眼部からの反射光（戻り光）を検出するための撮像素子を備えている。前眼部照明光源１２１には、例えば、中心波長が９５０ｎｍの光を発するＬＥＤが用いられる。前眼部照明光源１２１により発せられた光は、コリメートレンズ１２２により屈折される。屈折された照明光は、ビームスプリッタＢＳ１によりダイクロイックミラーＤＭ１Ａに向けて反射される。ビームスプリッタＢＳ１により反射された照明光は、ダイクロイックミラーＤＭ１Ａにより被検眼Ｅに向けて偏向される。被検眼Ｅからの照明光の戻り光は、ダイクロイックミラーＤＭ１Ａにより反射され、ビームスプリッタＢＳ１を透過する。ビームスプリッタＢＳ１を透過した戻り光は、結像レンズ１２４により前眼部撮影カメラ１２３における撮像素子の検出面に集光される。撮像素子の検出面は、瞳共役位置（前眼部共役位置）Ｑ又はその近傍に配置されている。撮像素子は、例えば、ＣＣＤ又はＣＭＯＳイメージセンサにより構成されている。撮像素子による被検眼Ｅの前眼部からの戻り光の検出結果は、前眼部の画像の形成に用いられる。
【００２９】
（ＳＬＯ光学系）
ＳＬＯ光学系１３０の光路とＯＣＴ光学系１４０の光路とは、ダイクロイックミラーＤＭ２により結合される。ＳＬＯ光学系１３０の少なくとも一部がテレセントリック光学系として形成されている。同様に、ＯＣＴ光学系１４０の少なくとも一部がテレセントリック光学系として形成されている。ダイクロイックミラーＤＭ２は、ＳＬＯ光学系１３０のテレセントリック光学系により形成される光路とＯＣＴ光学系１４０のテレセントリック光学系により形成される光路とを結合する。それにより、対物レンズ系１１０の移動により光学系１００の焦点位置を変更した場合でも瞳（例えば対物レンズ系１１０による射出瞳）の収差が小さくなるため、合焦状態の調整が容易になる。
【００３０】
ダイクロイックミラーＤＭ１Ａ（ＤＭ１Ｂ）、ＤＭ２は、ねじれの関係を保持した状態で光軸Ｏに配置されていることが望ましい。ダイクロイックミラーＤＭ１Ａ（ＤＭ１Ｂ）は、ＳＬＯ光学系１３０の光路及びＯＣＴ光学系１４０の光路（光学系１００の光路）を導かれる光の少なくとも一部及び前眼部撮影系１２０の光路を導かれる光の少なくとも一部のうち一方の光を反射し、かつ、他方の光を透過させる第１光学面を備えている。ダイクロイックミラーＤＭ２は、ＳＬＯ光学系１３０の光路を導かれる光の少なくとも一部及びＯＣＴ光学系１４０の光路を導かれる光の少なくとも一部のうち一方の光を反射し、かつ、他方の光を透過させる第２光学面を備えている。ダイクロイックミラーＤＭ１Ａ（ＤＭ１Ｂ）、ＤＭ２は、第１光学面の法線とＳＬＯ光学系１３０の光軸とを含む平面と、第２光学面の法線とＳＬＯ光学系１３０の光軸とを含む平面とが互いに直交する、又は略直交するように配置されている。それにより、図３に示す高倍率撮影モードでは、ダイクロイックミラーＤＭ１ＢとダイクロイックミラーＤＭ２との間に凹レンズ１１３Ａが配置されないため、ダイクロイックミラーＤＭ１ＢとダイクロイックミラーＤＭ２とにより非点収差を除去、又は非点収差を極めて小さくすることができるので、画質の劣化を抑えることが可能になる。一方、図１に示す広角撮影モードでは、高倍率撮影モード時よりも画像の粗さが許容されるため、非点収差の残存に起因する画質への影響は小さくて済む。
【００３１】
ＳＬＯ光学系１３０は、赤色光学系と、緑色光学系と、赤色光学系の光路を緑色光学系の光路に結合するダイクロイックミラーＤＭ３と、リレー光学系１３９と、光スキャナ１３６と、レンズ１３７とを含む。リレー光学系１３９、光スキャナ１３６及びレンズ１３７は、赤色光学系と緑色光学系とで共用される。赤色光学系は、中心波長が赤色波長帯の赤色ＳＬＯ光（赤色波長帯光）を含むＳＬＯ光を被検眼Ｅに投射してその戻り光を検出する。緑色光学系は、中心波長が緑色波長帯の緑色ＳＬＯ光（緑色波長帯光）を含むＳＬＯ光を被検眼Ｅに投射してその戻り光を検出する。ダイクロイックミラーＤＭ３は、赤色光学系の光（赤色波長帯のＳＬＯ光）を透過し、緑色光学系の光（緑色波長帯のＳＬＯ光）を反射する。赤色光学系の構成は、緑色光学系の構成とほぼ同様である。
【００３２】
赤色光学系は、ＳＬＯ光源１３１Ｒと、コリメートレンズ１３２Ｒと、ビームスプリッタＢＳ２Ｒと、集光レンズ１３３Ｒと、共焦点絞り１３４Ｒと、検出器１３５Ｒと、黒点板１３８Ｒとを含む。ビームスプリッタＢＳ２Ｒは、被検眼Ｅに投射される赤色ＳＬＯ光の光路に、その戻り光の光路を結合する光路結合部材である。
【００３３】
同様に、緑色光学系は、ＳＬＯ光源１３１Ｇと、コリメートレンズ１３２Ｇと、ビームスプリッタＢＳ２Ｇと、集光レンズ１３３Ｇと、共焦点絞り１３４Ｇと、検出器１３５Ｇと、黒点板１３８Ｇとを含む。ビームスプリッタＢＳ２Ｇは、被検眼Ｅに投射される緑色ＳＬＯ光の光路に、その戻り光の光路を結合する光路結合部材である。
【００３４】
緑色光学系は赤色光学系とほぼ同様であるため、以下、主として赤色光学系について説明する。ＳＬＯ光源１３１Ｒは、例えば中心波長が６５０ｎｍである赤色波長帯の光を発するものが用いられる。ＳＬＯ光源１３１Ｒは、例えば中心波長が５２０ｎｍである緑色波長帯の光を発するものが用いられる。ＳＬＯ光源１３１Ｒ（１３１Ｇ）として、例えばレーザーダイオード（Ｌａｓｅｒ  Ｄｉｏｄｅ：以下、ＬＤ）、スーパールミネッセントダイオード（Ｓｕｐｅｒ  Ｌｕｍｉｎｅｓｃｅｎｔ  Ｄｉｏｄｅ：ＳＬＤ）、レーザードリブンライトソース（Ｌａｓｅｒ  Ｄｒｉｖｅｎ  Ｌｉｇｈｔ  Ｓｏｕｒｃｅ：ＬＤＬＳ）などが挙げられる。ＳＬＯ光源１３１Ｒ（１３１Ｇ）は、眼底（網膜）と光学的に共役な位置（眼底共役位置）Ｐ又はその近傍に配置されている。
【００３５】
ＳＬＯ光源１３１Ｒ（１３１Ｇ）から発せられた光は、コリメートレンズ１３２Ｒ（１３２Ｇ）により平行光束とされる。平行光束とされた光は、ビームスプリッタＢＳ２Ｒ（ＢＳ２Ｇ）を透過する。ビームスプリッタＢＳ２Ｒを透過した光は、ダイクロイックミラーＤＭ３を透過し、リレー光学系１３９を通過し、光スキャナ１３６により偏向される。リレー光学系１３９は、リレーレンズ１３９Ａ、１３９Ｂを含む。リレーレンズ１３９Ａとリレーレンズ１３９Ｂとの間には、被検眼Ｅの眼底Ｅｆと光学的に共役な位置が眼底共役位置Ｐが配置されている。同様に、緑色光学系においてビームスプリッタＢＳ２Ｇを透過した光は、ダイクロイックミラーＤＭ３により反射され、リレー光学系１３９を通過し、光スキャナ１３６により偏向される。リレー光学系１３９を設けることにより、光スキャナ１３６とレンズ１３７との間に配置された、角膜前面の反射により角膜反射像が形成される位置と光学的に共役な位置（角膜反射像共役位置Ｒ）をリレーすることができる。それにより、赤色光学系の受光系や緑色光学系の受光系の配置の自由度を向上させることができる。
【００３６】
光スキャナ１３６は、ＳＬＯ光源１３１Ｒ、１３１Ｇからの光で被検眼Ｅの眼底Ｅｆを走査するために用いられる。光スキャナ１３６は、Ｘ方向に光を偏向させる光スキャナ１３６Ｘと、Ｙ方向に光を偏向させる光スキャナ１３６Ｙとを含む。光スキャナ１３６Ｘは、その傾きが変更可能なミラーであり、後述の制御部２００により反射面の傾きが制御される。光スキャナ１３６は、例えば、眼底面内の水平方向の走査に用いられる。光スキャナ１３６Ｘの被検眼Ｅの側には、光スキャナ１３６Ｙが配置されている。光スキャナ１３６Ｙは、その傾きが変更可能なミラーであり、制御部２００により反射面の傾きが制御される。光スキャナ１３６Ｙは、例えば、水平方向に直交する眼底面内の垂直方向の走査に用いられる。光スキャナ１３６Ｘ及び光スキャナ１３６Ｙのいずれか一方は、ガルバノミラーなどの低速スキャナであり、他方は、レゾナントミラーやポリゴンミラー、或いはＭＥＭＳ（Ｍｉｃｒｏ  Ｅｌｅｃｔｒｏ  Ｍｅｃｈａｎｉｃａｌ  Ｓｙｓｔｅｍｓ：以下、ＭＥＭＳ）ミラーなどの高速スキャナであってよい。光スキャナ１３６Ｙの反射面は、被検眼Ｅの瞳と光学的に共役な位置（瞳共役位置）Ｑ又はその近傍に配置されている。光スキャナ１３６Ｙの被検眼Ｅの側には、レンズ１３７と、ダイクロイックミラーＤＭ２とが配置されている。光スキャナ１３６により偏向されたＳＬＯ光源１３１Ｒ、１３１Ｇからの光は、レンズ１３７及びダイクロイックミラーＤＭ２を透過し、対物レンズ系１１０を介して被検眼Ｅに投射される。
【００３７】
被検眼Ｅに投射されたＳＬＯ光源１３１Ｒからの光の戻り光は、同じ光路を経由してダイクロイックミラーＤＭ３を透過し、ビームスプリッタＢＳ２Ｒにより検出器１３５Ｒに向けて反射される。同様に、被検眼Ｅに投射されたＳＬＯ光源１３１Ｇからの光の戻り光は、同じ光路を経由してダイクロイックミラーＤＭ３により反射され、ビームスプリッタＢＳ２Ｇにより検出器１３５Ｇに向けて反射される。
【００３８】
ビームスプリッタＢＳ２Ｒと検出器１３５Ｒとの間には、被検眼Ｅの側から黒点板１３８Ｒ、集光レンズ１３３Ｒ及び共焦点絞り１３４Ｒの順序で配置されている。黒点板１３８Ｒは、ビームスプリッタＢＳ２Ｒと集光レンズ１３３Ｒとの間において、角膜前面の反射により角膜反射像が形成される位置と光学的に共役な位置（角膜反射像共役位置Ｒ）に配置されている。黒点板１３８Ｒには、ビームスプリッタＢＳ２Ｒにより反射された光の一部を遮光するための遮光領域が設けられている。
【００３９】
遮光領域には、例えば黒点が設けられたり、反射部材が設けられたりする。黒点が設けられている場合、黒点板１３８Ｒに照射された赤色ＳＬＯ光の戻り光の一部は遮光領域において遮光され、残りは黒点板１３８Ｒを通過して集光レンズ１３３Ｒに到達する。反射部材が設けられている場合、黒点板１３８Ｒに照射された赤色ＳＬＯ光の戻り光の一部は遮光領域において反射部材による反射により遮光され、残りは黒点板１３８Ｒを通過して集光レンズ１３３Ｒに到達する。また、黒点板１３８Ｒは、遮光領域としての中央部に穴部が形成されたリング状ミラーを含んでもよい。この場合、黒点板１３８Ｒに照射された赤色ＳＬＯ光の戻り光の一部は穴部を通過することにより遮光され、残りは黒点板１３８Ｒを通過して集光レンズ１３３Ｒに到達する。
【００４０】
集光レンズ１３３Ｒは、上記のように黒点板１３８Ｒを通過又は反射した光を集光する。集光レンズ１３３Ｒにより集光された光は、共焦点絞り１３４Ｒに形成された開口を通過し、検出器１３５Ｒの検出面に入射する。共焦点絞り１３４Ｒに形成された開口は、眼底（網膜）と光学的に共役な位置（眼底共役位置）Ｐ又はその近傍に配置されている。検出器１３５Ｒは、例えば、アバランシェフォトダイオード（Ａｖａｌａｎｃｈｅ  ＰｈｏｔｏＤｉｏｄｅ：以下、ＡＰＤ）又は光電子増倍管（ＰｈｏｔｏＭｕｌｔｉｐｌｉｅｒ  Ｔｕｂｅ：以下、ＰＭＴ）により構成されている。
【００４１】
また、ビームスプリッタＢＳ２Ｇと検出器１３５Ｇとの間には、被検眼Ｅの側から黒点板１３８Ｇ、集光レンズ１３３Ｇ及び共焦点絞り１３４Ｇの順序で配置されている。黒点板１３８Ｇは、ビームスプリッタＢＳ２Ｇと集光レンズ１３３Ｇとの間において、角膜前面の反射により角膜反射像が形成される位置と光学的に共役な位置（角膜反射像共役位置Ｒ）に配置されている。黒点板１３８Ｇは、黒点板１３８Ｒと同様であるため、説明を省略する。
【００４２】
集光レンズ１３３Ｇは、上記のように黒点板１３８Ｇを通過又は反射した光を集光する。集光レンズ１３３Ｇにより集光された光は、共焦点絞り１３４Ｇに形成された開口を通過し、検出器１３５Ｇの検出面に入射する。共焦点絞り１３４Ｇに形成された開口は、眼底（網膜）と光学的に共役な位置（眼底共役位置）Ｐ又はその近傍に配置されている。検出器１３５Ｇは、例えば、ＡＰＤ又はＰＭＴにより構成されている。
【００４３】
黒点板１３８Ｒ、１３８Ｇの位置、黒点板１３８Ｒ、１３８Ｇに設けられた遮光領域の位置及び当該遮光領域の形態（サイズ、形状）の少なくとも１つは変更可能である。この実施形態では、後述する制御部２００からの制御を受け、黒点板１３８Ｒ、１３８Ｇの位置、黒点板１３８Ｒ、１３８Ｇに設けられた遮光領域の位置及び遮光領域の形態（サイズ、形状）の少なくとも１つを変更する。
【００４４】
例えば、黒点板１３８Ｒは、図示しない移動機構（後述の移動機構１３８ＲＤ）により移動可能である。この場合、移動機構１３８ＲＤを移動するための駆動力を発生するアクチュエータと、この駆動力を伝達する伝達機構とが設けられる。アクチュエータは、例えばパルスモータにより構成される。伝達機構は、例えば歯車の組み合わせやラック・アンド・ピニオンなどによって構成される。それにより、黒点板１３８Ｒは、制御部２００からの制御を受け、赤色ＳＬＯ光の戻り光の光路の光軸に沿った方向に移動される。また、黒点板１３８Ｒは、移動機構１３８ＲＤにより赤色ＳＬＯ光の戻り光の光路への挿入及び当該光路からの退避の少なくとも一方が可能であってよい。
【００４５】
同様に、例えば、黒点板１３８Ｇは、図示しない移動機構（後述の移動機構１３８ＧＤ）により移動可能である。それにより、黒点板１３８Ｇは、制御部２００からの制御を受け、緑色ＳＬＯ光の戻り光の光路の光軸に沿った方向に移動される。この場合、移動機構１３８ＧＤを移動するための駆動力を発生するアクチュエータと、この駆動力を伝達する伝達機構とが設けられる。アクチュエータは、例えばパルスモータにより構成される。伝達機構は、例えば歯車の組み合わせやラック・アンド・ピニオンなどによって構成される。それにより、黒点板１３８Ｇは、制御部２００からの制御を受け、緑色ＳＬＯ光の戻り光の光路の光軸に沿った方向に移動される。また、黒点板１３８Ｇは、移動機構１３８ＧＤにより緑色ＳＬＯ光の戻り光の光路への挿入及び当該光路からの退避の少なくとも一方が可能であってよい。
【００４６】
例えば、黒点板１３８Ｒ、１３８Ｇのそれぞれは、任意のサイズで任意の形状の透光領域（非遮光領域、通過領域）及び遮光領域を任意の位置に配置可能な光学部材を含む。このような光学部材には、液晶シャッターなどがある。それにより、黒点板１３８Ｒ、１３８Ｇのそれぞれは、制御部２００からの制御を受け、遮光領域の位置、サイズ又は形状を変更することができる。
【００４７】
また、黒点板１３８Ｒ、１３８Ｇのそれぞれは、互いに遮光領域の位置が異なる２以上の黒点板を含んでもよい。この場合、黒点板１３８Ｒ、１３８Ｇのそれぞれは、制御部２００からの制御を受け、２以上の黒点板を選択的に光路に配置することにより遮光領域の位置を変更することが可能である。同様に、黒点板１３８Ｒ、１３８Ｇのそれぞれは、互いに遮光領域の形態が異なる２以上の黒点板を含んでもよい。黒点板１３８Ｒ、１３８Ｇのそれぞれは、制御部２００からの制御を受け、２以上の黒点板を選択的に光路に配置することにより遮光領域の形態を変更することが可能である。なお、黒点板１３８Ｒ、１３８Ｇは、遮光領域だけを含み、当該遮光領域の周辺領域の光を通過させるものであってもよい。
【００４８】
（ＯＣＴ光学系）
ＯＣＴ光学系１４０は、合焦レンズ１４１と、光スキャナ１４２と、コリメートレンズ１４３と、干渉光学系１５０とを含む。干渉光学系１５０は、ＯＣＴ光源１５１と、ファイバーカプラ１５２、１５３と、プリズム１５４と、検出器１５５とを含む。
【００４９】
合焦レンズ１４１は、図示しない移動機構（後述の移動機構１４１Ｄ）によりＯＣＴ光学系１４０の光軸（光路）に沿って移動可能である。それにより、ＳＬＯ光学系１３０とは独立にＯＣＴ光学系１４０の焦点位置を変更することが可能になる。従って、例えば対物レンズ系１１０の移動によりＳＬＯ光学系１３０及びＯＣＴ光学系１４０の合焦状態が調整された後、合焦レンズ１４１の移動によりＯＣＴ光学系１４０の合焦状態の微調整を行うことができる。
【００５０】
光スキャナ１４２は、ＯＣＴ光源１５１からの光に基づく測定光で被検眼Ｅの眼底Ｅｆを走査するために用いられる。光スキャナ１４２は、Ｘ方向に光を偏向させる光スキャナ１４２Ｘと、Ｙ方向に光を偏向させる光スキャナ１４２Ｙとを含む。光スキャナ１４２Ｘは、その傾きが変更可能なミラーであり、制御部２００により反射面の傾きが制御される。光スキャナ１４２は、例えば、眼底面内の水平方向の走査に用いられる。光スキャナ１４２Ｘの被検眼Ｅの側には、光スキャナ１４２Ｙが配置されている。光スキャナ１４２Ｙは、その傾きが変更可能なミラーであり、制御部２００により反射面の傾きが制御される。光スキャナ１４２Ｙは、例えば、水平方向に直交する眼底面内の垂直方向の走査に用いられる。光スキャナ１４２Ｘ及び光スキャナ１４２Ｙのいずれか一方は、低速なガルバノミラーなどの低速スキャナであり、他方は、高速なガルバノミラーなどの高速スキャナであってよい。光スキャナ１４２Ｘ、１４２Ｙの中間位置は、被検眼Ｅの瞳と光学的に共役な位置（瞳共役位置）Ｑ又はその近傍に配置されている。光スキャナ１４２ＹのＯＣＴ光源１５１の側には、コリメートレンズ１４３が配置されている。
【００５１】
干渉光学系１５０には、被検眼ＥのＯＣＴ画像を取得するための光学系が設けられている。この光学系は、従来のスウェプトソースタイプのＯＣＴ装置と同様の構成を有する。すなわち、この光学系は、波長掃引型（波長走査型）光源からの光を測定光と参照光とに分割し、被検眼Ｅからの測定光の戻り光と参照光路を経由した参照光とを干渉させて干渉光を生成し、この干渉光を検出する干渉光学系である。干渉光学系による干渉光の検出結果（検出信号）は、干渉光のスペクトルを示す信号である。なお、干渉光学系１５０は、スウェプトソースタイプのＯＣＴ装置ではなく、従来のスペクトラルドメインタイプのＯＣＴ装置と同様の構成を有していてもよい。
【００５２】
ＯＣＴ光源１５１は、ＯＣＴ光（出射光）の波長を掃引（走査）可能な波長掃引型（波長走査型）光源である。波長掃引型光源には、例えば、共振器を含み、中心波長が１０５０ｎｍの光を発するレーザー光源が用いられる。ＯＣＴ光源１５１は、人眼では視認できない近赤外の波長帯において、出力波長を時間的に変化させる。
【００５３】
ＯＣＴ光源１５１から出力された光Ｌ０は、光ファイバｆ１によりファイバーカプラ１５２に導かれて測定光ＬＳと参照光ＬＲとに分割される。
【００５４】
参照光ＬＲは、光ファイバｆ２によりファイバ出射端ｃ１に導かれて、ファイバ出射端ｃ１からコリメートレンズ１５６に照射される。ファイバ出射端ｃ１から出射された参照光ＬＲは、コリメートレンズ１５６により平行光束とされる。平行光束とされた参照光ＬＲは、プリズム１５４に導かれる。プリズム１５４は、コリメートレンズ１５６により平行光束とされた参照光ＬＲの進行方向を逆方向に折り返す。プリズム１５４に入射する参照光ＬＲの光路と、プリズム１５４から出射する参照光ＬＲの光路とは平行である。プリズム１５４は、図示しない移動機構（後述の移動機構１５４Ｄ）により参照光ＬＲの入射光路及び出射光路に沿う方向に移動可能である。この場合、移動機構を移動するための駆動力を発生するアクチュエータと、この駆動力を伝達する伝達機構とが設けられる。アクチュエータは、例えばパルスモータにより構成される。伝達機構は、例えば歯車の組み合わせやラック・アンド・ピニオンなどによって構成される。それにより、参照光ＬＲの光路の長さが変更される。
【００５５】
プリズム１５４を経由した参照光ＬＲは、コリメートレンズ１５７によって平行光束から集束光束に変換されてファイバ入射端ｃ２に入射し、光ファイバｆ３によりファイバーカプラ１５３に導かれる。なお、コリメートレンズ１５６，１５７とプリズム１５４との間に、光路長補正部材や分散補償部材が配置されていてもよい。光路長補正部材は、参照光ＬＲの光路長（光学距離）と測定光ＬＳの光路長とを合わせるための遅延手段として作用する。分散補償部材は、参照光ＬＲと測定光ＬＳとの間の分散特性を合わせるための分散補償手段として作用する。
【００５６】
一方、ファイバーカプラ１５２により生成された測定光ＬＳは、光ファイバｆ４によりファイバ端ｃ３に導かれる。ファイバ端ｃ３に導かれた測定光ＬＳは、コリメートレンズ１４３に照射される。ファイバ端ｃ３から照射された測定光ＬＳは、コリメートレンズ１４３により平行光束とされる。平行光束にされた測定光ＬＳは、光スキャナ１４２及び合焦レンズ１４１を経由してダイクロイックミラーＤＭ２に到達する。測定光ＬＳは、ダイクロイックミラーＤＭ２により反射され、対物レンズ系１１０により屈折されて被検眼Ｅに照射される。測定光ＬＳは、被検眼Ｅの様々な深さ位置において散乱（反射を含む）される。このような後方散乱光を含む測定光ＬＳの戻り光は、往路と同じ経路を逆向きに進行してファイバーカプラ１５２に導かれ、光ファイバｆ５を経由してファイバーカプラ１５３に到達する。
【００５７】
ファイバーカプラ１５３は、光ファイバｆ５を介して入射された測定光ＬＳと、光ファイバｆ３を介して入射された参照光ＬＲとを合成して（干渉させて）干渉光を生成する。ファイバーカプラ１５３は、所定の分岐比（例えば１：１）で、測定光ＬＳと参照光ＬＲとの干渉光を分岐することにより、一対の干渉光ＬＣを生成する。ファイバーカプラ１５３から出射した一対の干渉光ＬＣは、検出器１５５に導かれる。
【００５８】
検出器１５５は、例えば一対の干渉光ＬＣをそれぞれ検出する一対のフォトディテクタを有し、これらによる検出結果の差分を出力するバランスドフォトダイオード（Ｂａｌａｎｃｅｄ  Ｐｈｏｔｏ  Ｄｉｏｄｅ）である。検出器１５５は、その検出結果（検出信号）を図示しないＤＡＱ（Ｄａｔａ  Ａｃｑｕｉｓｉｔｉｏｎ  Ｓｙｓｔｅｍ）に送る。ＤＡＱには、ＯＣＴ光源１５１からクロックが供給される。このクロックは、ＯＣＴ光源１５１において、波長掃引型光源により所定の波長範囲内で掃引（走査）される各波長の出力タイミングに同期して生成される。ＤＡＱは、このクロックに基づき、検出器１５５の検出結果をサンプリングし、後述の画像形成部等に送る。画像形成部は、例えば一連の波長走査毎に（Ａライン毎に）、検出器１５５により得られた検出結果に基づくスペクトル分布にフーリエ変換等を施すことにより、各Ａラインにおける反射強度プロファイルを形成する。更に、画像形成部は、各Ａラインの反射強度プロファイルを画像化することにより画像データを形成する。
【００５９】
［処理系］
図４に、実施形態に係る眼科撮影装置の処理系の構成例を示す。図４において、図１及び図３と同様の部分には同一符号を付し、適宜説明を省略する。
【００６０】
（制御部）
実施形態に係る眼科撮影装置の処理系は、制御部２００を中心に構成される。制御部２００は、眼科撮影装置の各部の制御を行う。制御部２００は、主制御部２０１と、記憶部２０２とを含む。主制御部２０１の機能は、例えばマイクロプロセッサにより実現される。記憶部２０２には、眼科撮影装置を制御するためのコンピュータプログラムがあらかじめ格納される。このコンピュータプログラムには、各種の光源制御用プログラム、光スキャナ制御用プログラム、各種の検出器制御用プログラム、画像形成用プログラム、データ処理用プログラム及びユーザインターフェイス用プログラムなどが含まれる。このようなコンピュータプログラムに従って主制御部２０１が動作することにより、制御部２００は制御処理を実行する。
【００６１】
対物レンズ系１１０に対する制御として、対物レンズ系１１０を光軸Ｏに沿って移動させる移動機構１１０Ｄに対する制御、検出部１１６の制御などがある。例えば、移動機構１１０Ｄには、移動機構１１０Ｄを移動するための駆動力を発生するアクチュエータと、この駆動力を伝達する伝達機構とが設けられる。アクチュエータは、例えばパルスモータにより構成される。伝達機構は、例えば歯車の組み合わせやラック・アンド・ピニオンなどによって構成される。主制御部２０１は、アクチュエータに対して制御信号を送ることにより、移動機構１１０Ｄに対する制御を行う。検出部１１６の制御には、光軸Ｏに配置された対物レンズユニットの種別に対応した検出信号の取得制御などがある。例えば、検出部１１６は、対物レンズユニットに付加された識別情報を読み取ったり、種別に対応した対物レンズユニットの形状を検出したりすることにより、対物レンズユニットの種別に対応した検出信号を出力する。主制御部２０１は、検出部１１６からの検出信号に基づいて対物レンズユニットの種別を特定する。なお、対物レンズユニットを自動で光軸Ｏに選択的に配置させる場合、主制御部２０１は、指定された撮影モードに基づいて対物レンズユニットの種別を特定することが可能である。
【００６２】
ＳＬＯ光学系１３０に対する制御として、ＳＬＯ光源１３１の制御、光スキャナ１３６の制御、検出器１３５の制御、黒点板１３８Ｒ、１３８Ｇの制御、移動機構１３８ＲＤ、１３８ＧＤの制御などがある。ＳＬＯ光源１３１の制御には、光源の点灯、消灯、光量調整、絞り調整などがある。光スキャナ１３６の制御には、光スキャナ１３６Ｘによる走査位置や走査範囲の制御、光スキャナ１３６Ｙによる走査位置や走査範囲の制御などがある。検出器１３５の制御には、検出素子の露光調整やゲイン調整や検出レート調整などがある。黒点板１３８Ｒ、１３８Ｇの制御には、遮光領域の位置、サイズ、形状などを変更するための制御などがある。移動機構１３８ＲＤ、１３８ＧＤの制御には、黒点板１３８Ｒ、１３８Ｇの光路（光軸）に沿った移動制御、黒点板１３８Ｒ、１３８Ｇの光路への挿入制御、黒点板１３８Ｒ、１３８Ｇの光路からの退避制御などがある。
【００６３】
ＯＣＴ光学系１４０に対する制御として、ＯＣＴ光源１５１の制御、光スキャナ１４２の制御、移動機構１４１Ｄや移動機構１５４Ｄの制御、検出器１５５の制御などがある。ＯＣＴ光源１５１の制御には、光源の点灯、消灯、光量調整、絞り調整などがある。光スキャナ１４２の制御には、光スキャナ１４２Ｘによる走査位置や走査範囲の制御、光スキャナ１４２Ｙによる走査位置や走査範囲の制御などがある。移動機構１４１Ｄは、ＯＣＴ光学系１４０の光路に沿って合焦レンズ１４１を移動する。例えば、移動機構１４１Ｄには、移動機構を移動するための駆動力を発生するアクチュエータと、この駆動力を伝達する伝達機構とが設けられる。アクチュエータは、例えばパルスモータにより構成される。伝達機構は、例えば歯車の組み合わせやラック・アンド・ピニオンなどによって構成される。主制御部２０１は、アクチュエータに対して制御信号を送ることにより、移動機構１４１Ｄに対する制御を行う。移動機構１５４Ｄは、プリズム１５４を参照光ＬＲの入射光路及び出射光路に沿う方向に移動する。例えば、移動機構１５４Ｄには、移動機構を移動するための駆動力を発生するアクチュエータと、この駆動力を伝達する伝達機構とが設けられる。アクチュエータは、例えばパルスモータにより構成される。伝達機構は、例えば歯車の組み合わせやラック・アンド・ピニオンなどによって構成される。主制御部２０１は、アクチュエータに対して制御信号を送ることにより、移動機構１５４Ｄに対する制御を行う。検出器１５５の制御には、検出素子の露光調整やゲイン調整や検出レート調整などがある。
【００６４】
前眼部撮影系１２０に対する制御として、前眼部照明光源１２１の制御、前眼部撮影カメラ１２３の制御などがある。前眼部照明光源１２１の制御には、光源の点灯、消灯、光量調整、絞り調整などがある。前眼部撮影カメラ１２３の制御には、撮像素子の露光調整やゲイン調整や撮影レート調整などがある。
【００６５】
光学系１００に対する制御として、光学系１００（ダイクロイックミラーＤＭ１Ａ、ＤＭ１Ｂ、前眼部撮影系１２０を含む）をＸ方向、Ｙ方向及びＺ方向に移動する移動機構１００Ｄの制御などがある。例えば、移動機構１００Ｄには、移動機構を移動するための駆動力を発生するアクチュエータと、この駆動力を伝達する伝達機構とが設けられる。アクチュエータは、例えばパルスモータにより構成される。伝達機構は、例えば歯車の組み合わせやラック・アンド・ピニオンなどによって構成される。主制御部２０１は、アクチュエータに対して制御信号を送ることにより、移動機構１００Ｄに対する制御を行う。
【００６６】
主制御部２０１は、アライメント制御部２０１Ａと、トラッキング制御部２０１Ｂと、黒点制御部２０１Ｃと、表示制御部２０１Ｄとを含む。
【００６７】
アライメント制御部２０１Ａは、被検眼Ｅに対して光学系１００の位置合わせを行うためのアライメントの実行を制御する。アライメント制御部２０１Ａは、前眼部撮影系１２０により得られた被検眼Ｅの前眼部画像に基づいて移動機構１００Ｄを制御する。アライメント制御部２０１Ａは、例えば、前眼部撮影系１２０により得られた被検眼Ｅの前眼部画像中の特徴部位を特定し、特定された特徴部位の位置と所定の目標位置とのずれ量がキャンセルされるように光学系１００等の移動量を求める。アライメント制御部２０１Ａは、求められた移動量に基づいて移動機構１００Ｄを制御することにより被検眼Ｅに対して光学系１００の位置合わせを行う（ＸＹ方向）。目標位置は、あらかじめ決められた位置であってもよいし、ＵＩ部２３０を用いて指定された前眼部画像中の位置であってもよい。
【００６８】
アライメント制御部２０１Ａは、例えば、前眼部撮影系１２０により得られた被検眼Ｅの前眼部画像の合焦状態（ぼけ具合）を特定し、特定された合焦状態が所望の合焦状態となるように光学系１００のＺ方向の移動量を求めることが可能である。アライメント制御部２０１Ａは、求められた移動量に基づいて移動機構１００Ｄを制御することにより、被検眼Ｅに対する光学系１００の位置合わせを行う（Ｚ方向）。なお、２以上のカメラを用いて互いに異なる方向から前眼部を撮影し、視差が設けられた２以上の画像から３次元的に合焦状態を特定し、特定された合焦状態が所望の合焦状態となるように光学系１００のＺ方向の移動量を求めてもよい。
【００６９】
アライメント制御部２０１Ａは、ＳＬＯ光学系１３０により得られたＳＬＯ画像に基づいて移動機構１１０Ｄを制御することにより被検眼Ｅに対する対物レンズ系１１０の位置合わせ（Ｚ方向）を行ってもよい。この場合、アライメント制御部２０１Ａは、取得されたＳＬＯ画像の合焦状態（ぼけ具合）を特定し、特定された合焦状態が所望の合焦状態となるように対物レンズ系１１０のＺ方向の移動量を求める。アライメント制御部２０１Ａは、求められた移動量に基づいて移動機構１１０Ｄを制御する。
【００７０】
トラッキング制御部２０１Ｂは、ＳＬＯ光学系１３０により得られた被検眼ＥのＳＬＯ画像に対するトラッキングを制御する。トラッキング制御部２０１Ｂは、例えば、所定のタイミングでＳＬＯ画像中の特徴部位を特定し、特定された特徴部位の位置が変化したとき、その位置のずれ量がキャンセルされるように移動量を求める。トラッキング制御部２０１Ｂは、求められた移動量に基づいてＳＬＯ画像に対するトラッキングを制御する。
【００７１】
また、トラッキング制御部２０１Ｂは、ＯＣＴ光学系１４０により得られた被検眼ＥのＯＣＴ画像に対するトラッキングをＳＬＯ画像に基づいて制御する。トラッキング制御部２０１Ｂは、例えば、所定のタイミングでＳＬＯ画像中の特徴部位を特定し、特定された特徴部位の位置が変化したとき、その位置のずれ量がキャンセルされるように移動量を求める。トラッキング制御部２０１Ｂは、求められた移動量に基づいてＯＣＴ画像に対するトラッキングを制御する。トラッキング制御部２０１Ｂは、データ処理部２２０に設けられていてもよい。
【００７２】
黒点制御部２０１Ｃは、検出部１１６からの検出信号に基づいて、画角変更機構１１５により設定された画角、撮影モード又は光軸Ｏに配置された対物レンズユニットの種別を特定する。黒点制御部２０１Ｃは、特定された画角に応じて黒点板１３８Ｒの位置、黒点板１３８Ｒに設けられた遮光領域の位置及び遮光領域の形態の少なくとも１つを変更する遮光制御（第１遮光制御）を実行する。また、黒点制御部２０１Ｃは、特定された画角に応じて黒点板１３８Ｇの位置、黒点板１３８Ｇに設けられた遮光領域の位置及び遮光領域の形態の少なくとも１つを変更する遮光制御（第２遮光制御）を実行する。すなわち、黒点制御部２０１Ｃは、撮影モード又は対物レンズユニットの種別に応じて黒点板１３８Ｒ、１３８Ｇの位置、黒点板１３８Ｒ、１３８Ｇに設けられた遮光領域の位置及び遮光領域の形態の少なくとも１つを変更することが可能である。例えば、記憶部２０２は、画角、撮影モード又は対物レンズユニットの種別と、黒点板１３８Ｒ、１３８Ｇ又は移動機構１３８ＲＤ、１３８ＧＤに対する制御内容とを対応付けた制御情報をあらかじめ記憶する。黒点制御部２０１Ｃは、記憶部２０２に記憶された制御情報を参照することにより、黒点板１３８Ｒ、１３８Ｇ又は移動機構１３８ＲＤ、１３８ＧＤに対して上記のように制御することが可能である。
【００７３】
例えば図５に示すように、黒点制御部２０１Ｃは、黒点板１３８Ｒ、１３８Ｇの少なくとも一方の遮光領域について、画角に応じて、径が小さい遮光領域Ｍ１と径が大きい遮光領域Ｍ２との切り替えを行う。広角撮影モードにおいて角膜反射像共役位置Ｒに配置された黒点板は、光軸Ｏに対物レンズユニット１１０Ａが配置されているとき遮光領域Ｍ１となり、光軸Ｏに対物レンズユニット１１０Ｂが配置されているとき遮光領域Ｍ２となるように制御される。それにより、黒点板１３８Ｒ、１３８Ｇを移動させることなく、デフォーカス分だけ遮光領域を大きくすることで角膜反射光を遮光することができる。
【００７４】
例えば図６に示すように、黒点制御部２０１Ｃは、画角に応じて黒点板１３８Ｒ、１３８Ｇを光軸の方向に移動させる。広角撮影モードにおいて角膜反射像共役位置Ｒに配置された黒点板は、光軸Ｏに対物レンズユニット１１０Ａが配置されているとき被検眼Ｅの側に移動され、光軸Ｏに対物レンズユニット１１０Ｂが配置されているとき検出器１３５Ｒ、１３５Ｇの側に移動される。それにより、波長が長いほど屈折率が小さくなることにより角膜から角膜反射像の共役位置までの距離が長くなるため、波長ごとに異なる角膜反射像の共役位置で角膜反射光を遮光することができる。なお、図６では、前眼部撮影系１２０やＯＣＴ光学系１４０の図示が省略されている。
【００７５】
例えば図７に示すように、黒点制御部２０１Ｃは、画角に応じて黒点板１３８Ｒ、１３８Ｇを光路から挿脱させる。広角撮影モードにおいて角膜反射像共役位置Ｒに配置された黒点板は、光軸Ｏに対物レンズユニット１１０Ａが配置されているとき光路に挿入され、光軸Ｏに対物レンズユニット１１０Ｂが配置されているとき光路から退避される。それにより、遮光領域により被検眼Ｅからの戻り光を遮光することへの影響を最小限に抑えつつ角膜反射光を遮光することができる。なお、図７では、前眼部撮影系１２０やＯＣＴ光学系１４０の図示が省略されている。
【００７６】
また、黒点制御部２０１Ｃは、被検眼Ｅの視度に応じて黒点板１３８Ｒ、１３８Ｇの位置、黒点板１３８Ｒ、１３８Ｇのそれぞれに設けられた遮光領域の位置及び遮光領域の形態の少なくとも１つを変更することが可能である。この実施形態では、移動機構１１０Ｄにより対物レンズ系１１０（対物レンズユニット）を光軸Ｏに沿って移動させることにより、被検眼Ｅの視度調整を行うことができる。例えば、記憶部２０２は、画角、撮影モード又は対物レンズユニットの種別と、光軸Ｏにおける対物レンズ系１１０（対物レンズユニット）の位置又は移動機構１１０Ｄに対する制御内容と、黒点板１３８Ｒ、１３８Ｇ又は移動機構１３８ＲＤ、１３８ＧＤに対する制御内容とを対応付けた制御情報をあらかじめ記憶する。黒点制御部２０１Ｃは、記憶部２０２に記憶された制御情報を参照することにより、黒点板１３８Ｒ、１３８Ｇ又は移動機構１３８ＲＤ、１３８ＧＤに対して上記のように制御することが可能である。
【００７７】
また、例えば、記憶部２０２は、光軸Ｏにおける対物レンズ系１１０（対物レンズユニット）の位置又は移動機構１１０Ｄに対する制御内容と、黒点板１３８Ｒ、１３８Ｇ又は移動機構１３８ＲＤ、１３８ＧＤに対する制御内容とを対応付けた制御情報をあらかじめ記憶する。黒点制御部２０１Ｃは、記憶部２０２に記憶された制御情報を参照することにより、黒点板１３８Ｒ、１３８Ｇ又は移動機構１３８ＲＤ、１３８ＧＤに対して上記のように制御してもよい。
【００７８】
また、黒点制御部２０１Ｃは、被検眼Ｅの角膜の形状を表す角膜情報に応じて黒点板１３８Ｒ、１３８Ｇの位置、黒点板１３８Ｒ、１３８Ｇのそれぞれに設けられた遮光領域の位置及び遮光領域の形態の少なくとも１つを変更することが可能である。角膜情報には、角膜曲率、角膜曲率半径などがある。角膜情報は、ユーザが後述のＵＩ部２３０に対して操作を行うことにより指定される。また、角膜情報は、後述の角膜情報算出部２２０Ａにより算出されたものであってもよい。例えば、記憶部２０２は、画角、撮影モード又は対物レンズユニットの種別と、角膜曲率（角膜情報）と、黒点板１３８Ｒ、１３８Ｇ又は移動機構１３８ＲＤ、１３８ＧＤに対する制御内容とを対応付けた制御情報をあらかじめ記憶する。黒点制御部２０１Ｃは、記憶部２０２に記憶された制御情報を参照することにより、黒点板１３８Ｒ、１３８Ｇ又は移動機構１３８ＲＤ、１３８ＧＤに対して上記のように制御することが可能である。それにより、角膜曲率に大きく影響を受ける角膜反射像の共役位置が変更された場合であっても角膜反射光を遮光することができる。
【００７９】
また、例えば、記憶部２０２は、角膜曲率（角膜情報）と、黒点板１３８Ｒ、１３８Ｇ又は移動機構１３８ＲＤ、１３８ＧＤに対する制御内容とを対応付けた制御情報をあらかじめ記憶する。黒点制御部２０１Ｃは、記憶部２０２に記憶された制御情報を参照することにより、黒点板１３８Ｒ、１３８Ｇ又は移動機構１３８ＲＤ、１３８ＧＤに対して上記のように制御してもよい。
【００８０】
以上のように黒点板１３８Ｒ、１３８Ｇやその遮光領域を制御することにより、画角（対物レンズ系１１０）の変更により光学配置が変更された場合や被検眼が変更された場合
であっても、取得される画像に描出されるゴースト（ノイズ）を抑制することが可能になる。
【００８１】
表示制御部２０１Ｄは、各種情報を後述のＵＩ部２３０に表示させる。ＵＩ部２３０に表示される情報には、制御部２００により生成された情報、画像形成部２１０により形成された画像、データ処理部２２０によるデータ処理後の情報などがある。
【００８２】
（画像形成部）
画像形成部２１０は、ＳＬＯ画像形成部２１０Ａと、ＯＣＴ画像形成部２１０Ｂとを含む。ＳＬＯ画像形成部２１０Ａは、検出器１３５Ｒから入力される検出信号と、制御部２００から入力される画素位置信号とに基づいて、赤色ＳＬＯ画像の画像データを形成する。また、ＳＬＯ画像形成部２１０Ａは、検出器１３５Ｇから入力される検出信号と、制御部２００から入力される画素位置信号とに基づいて、緑色ＳＬＯ画像の画像データを形成する。ＳＬＯ画像形成部２１０Ａは、赤色ＳＬＯ画像と緑色ＳＬＯ画像とを合成することにより新たなＳＬＯ画像を形成することも可能である。
【００８３】
ＯＣＴ画像形成部２１０Ｂは、検出器１５５から入力される検出信号と、制御部２００から入力される画素位置信号とに基づいて、ＯＣＴ画像（眼底Ｅｆの断層像）の画像データを形成する。また、画像形成部２１０は、前眼部撮影カメラ１２３の撮像素子による被検眼Ｅの前眼部からの反射光の検出結果に基づいて前眼部画像を形成する。画像形成部２１０により形成された各種の画像（画像データ）は、例えば記憶部２０２に保存される。
【００８４】
（データ処理部）
データ処理部２２０は、各種のデータ処理を実行する。データ処理の例として、画像形成部２１０又は他の装置により形成された画像データに対する処理がある。この処理の例として、各種の画像処理や、画像に対する解析処理や、画像データに基づく画像評価などの診断支援処理がある。
【００８５】
データ処理部２２０は、角膜情報算出部２２０Ａを含む。
【００８６】
角膜情報算出部２２０Ａは、ＯＣＴ光学系１４０を用いて取得されたＯＣＴ画像又は別途に取得されたＯＣＴ画像から角膜情報を算出する。例えば、角膜情報算出部２２０Ａは、ＯＣＴ光学系１４０により得られた前眼部の断層像（ＯＣＴ画像）を解析して角膜頂点と角膜曲率中心とを特定する。角膜情報算出部２２０Ａは、特定された角膜頂点と角膜曲率中心までの距離を角膜曲率半径として求め、求められた角膜曲率半径から角膜曲率を角膜情報として求める。また、角膜情報算出部２２０Ａは、模型眼に対する測定結果を基準に被検眼Ｅの角膜頂点と角膜曲率中心とを求め、求められた角膜頂点と角膜曲率中心までの距離から角膜曲率半径や角膜曲率を求めてもよい。
【００８７】
（ＵＩ部）
ＵＩ（Ｕｓｅｒ  Ｉｎｔｅｒｆａｃｅ）部２３０は、ユーザと眼科撮影装置との間で情報のやりとりを行うための機能を備える。ＵＩ部２３０は、表示デバイスと操作デバイス（入力デバイス）とを含む。表示デバイスは、表示部を含んでよく、それ以外の表示デバイスを含んでもよい。操作デバイスは、各種のハードウェアキー及び／又はソフトウェアキーを含む。制御部２００は、操作デバイスに対する操作内容を受け、操作内容に対応した制御信号を各部に出力することが可能である。操作デバイスの少なくとも一部と表示デバイスの少なくとも一部とを一体的に構成することが可能である。タッチパネルディスプレイはその一例である。
【００８８】
ＳＬＯ光源１３１Ｒ、１３１Ｇ、コリメートレンズ１３２Ｒ、１３２Ｇ、光スキャナ１３６及びレンズ１３７は実施形態に係る「投射系」の一例である。検出器１３５Ｒ、１３５Ｇ、共焦点絞り１３４Ｒ、１３４Ｇ及び集光レンズ１３３Ｒ、１３３Ｇは実施形態に係る「受光系」の一例である。黒点板１３８Ｒ、１３８Ｇは実施形態に係る「遮光部材」の一例である。画角変更機構１１５は実施形態に係る「画角変更部」の一例である。ＵＩ部２３０に含まれる操作デバイスは実施形態に係る「操作部」の一例である。
【００８９】
［動作］
実施形態に係る眼科撮影装置の動作について説明する。
【００９０】
（第１動作例）
図８及び図９に、実施形態に係る眼科撮影装置の第１動作例を示す。図８及び図９は、実施形態に係る眼科撮影装置の第１動作例のフロー図を表す。
【００９１】
（Ｓ１）
まず、光軸Ｏに広角撮影モード用の対物レンズユニット１１０Ａがセットされる。例えば、検者、被検者、医師、患者等のユーザが手動で光軸Ｏに対物レンズユニット１１０Ａをセットする。眼科撮影装置は、ＵＩ部２３０に対してユーザにより行われた操作に基づきＳ２に動作を移行することが可能である。また、眼科撮影装置は、光軸Ｏに配置された対物レンズユニットの種別を検出し、検出された種別があらかじめ登録された当該撮影モードに対応する種別であると判定されたとき、眼科撮影装置の動作をＳ２に移行するようにしてもよい。
【００９２】
（Ｓ２）
制御部２００は、前眼部撮影系１２０により被検眼Ｅの前眼部を撮影することにより前眼部画像を取得する。
【００９３】
（Ｓ３）
アライメント制御部２０１Ａは、前述のようにＳ２において取得された前眼部画像に基づいて移動機構１００Ｄを制御することにより、被検眼Ｅに対する光学系１００及び対物レンズ系１１０の位置合わせを行う（Ｘ方向、Ｙ方向及びＺ方向）。
【００９４】
（Ｓ４）
制御部２００は、光スキャナ１３６、１４２のそれぞれをあらかじめ決められた初期位置に移動させる。
【００９５】
（Ｓ５）
制御部２００は、ＳＬＯ光源１３１Ｒ、１３１Ｇをオンにして、光スキャナ１３６を制御することによりＳＬＯ光源１３１Ｒ、１３１Ｇからの光で被検眼Ｅの眼底Ｅｆのスキャンを開始させる。ＳＬＯ画像形成部２１０Ａは、検出器１３５Ｒ、１３５Ｇによる眼底反射光の検出結果に基づいて眼底ＥｆのＳＬＯ画像（赤色ＳＬＯ画像、緑色ＳＬＯ画像、又はこれらを合成したＳＬＯ画像）を形成する。また、制御部２００は、ＯＣＴ光源１５１をオンにして、光スキャナ１４２を制御することによりＯＣＴ光源１５１からの光に基づく測定光ＬＳで被検眼Ｅの眼底Ｅｆのスキャンを開始させる。ＯＣＴ画像形成部２１０Ｂは、検出器１５５による干渉光の検出結果に基づいて眼底ＥｆのＯＣＴ画像を形成する。Ｓ５において、トラッキング制御部２０１Ｂは、ＳＬＯ画像に対するトラッキング制御とＯＣＴ画像に対するトラッキング制御とを開始してもよい。
【００９６】
（Ｓ６）
黒点制御部２０１Ｃは、Ｓ１においてセットされた対物レンズユニットの種別に応じて黒点板１３８Ｒ、１３８Ｇの位置等を変更する。例えば、黒点制御部２０１Ｃは、図５に示すように遮光領域Ｍ１となるように遮光領域のサイズを変更する。また、黒点制御部２０１Ｃは、図６に示すように対物レンズユニット１０１Ａに対応した位置に黒点板１３８Ｒ、１３８Ｇを移動させる。或いは、黒点制御部２０１Ｃは、図７に示すように当該光路に黒点板１３８Ｒ、１３８Ｇを挿入させる。それにより、広角撮影モードに設定されているときの光学配置に対応したゴーストの除去が可能になる。
【００９７】
（Ｓ７）
アライメント制御部２０１Ａは、前眼部撮影系１２０により得られた前眼部画像又はＳ５において得られたＳＬＯ画像から網膜のフォーカス方向のアライメントを行う。それにより、対物レンズ系１１０の光軸Ｏの方向の位置の微調整が可能になる。
【００９８】
（Ｓ８）
主制御部２０１は、ＯＣＴ光学系１４０により得られた干渉光の検出信号に基づいてＯＣＴ光学系１４０の焦点位置を変更する。主制御部２０１は、例えば、所定の干渉光の検出信号の振幅が最大となるように移動機構１４１Ｄを制御することによりＯＣＴ光学系１４０の焦点位置を変更する。
【００９９】
（Ｓ９）
制御部２００は、再び、光スキャナ１３６を制御することによりＳＬＯ光源１３１Ｒ、１３１Ｇからの光で被検眼Ｅの眼底Ｅｆのスキャンを開始させる。ＳＬＯ画像形成部２１０Ａは、検出器１３５Ｒ、１３５Ｇによる眼底反射光の検出結果に基づいて眼底ＥｆのＳＬＯ画像（赤色ＳＬＯ画像、緑色ＳＬＯ画像、又はこれらを合成したＳＬＯ画像）を形成する。また、制御部２００は、再び、光スキャナ１４２を制御することによりＯＣＴ光源１５１からの光に基づく測定光ＬＳで被検眼Ｅの眼底Ｅｆのスキャンを開始させる。ＯＣＴ画像形成部２１０Ｂは、検出器１５５による干渉光の検出結果に基づいて眼底ＥｆのＯＣＴ画像を形成する。Ｓ９で得られたＳＬＯ画像及びＯＣＴ画像のそれぞれは広角画像である。
【０１００】
（Ｓ１０）
次に、制御部２００は、高倍率での撮影を行うか否か（高倍率撮影モードに移行するか否か）を判定する。主制御部２０１は、ＵＩ部２３０に対する操作内容を検出することが可能である。主制御部２０１は、ＵＩ部２３０に対する操作内容に基づいて、高倍率での撮影を行うか否かを判定する。高倍率での撮影を行うと判定されたとき（Ｓ１０：Ｙ）、眼科撮影装置の動作はＳ１１に移行する。高倍率での撮影を行わないと判定されたとき（Ｓ１０：Ｎ）、眼科撮影装置の動作は終了する（エンド）。
【０１０１】
（Ｓ１１）
高倍率での撮影を行うと判定されたとき（Ｓ１０：Ｙ）、光軸Ｏに高倍率撮影モード用の対物レンズユニット１１０Ｂがセットされるまで待機する。例えば、ユーザが手動で光軸Ｏに対物レンズユニット１１０Ｂをセットする。眼科撮影装置は、ＵＩ部２３０に対してユーザにより行われた操作に基づきＳ１２に動作を移行したり、光軸Ｏに配置された対物レンズユニットの種別の検出結果に基づきＳ１２に動作を移行したりすることが可能である。
【０１０２】
（Ｓ１２）
黒点制御部２０１Ｃは、Ｓ１１においてセットされた対物レンズユニットの種別に応じて黒点板１３８Ｒ、１３８Ｇの位置等を変更する。例えば、黒点制御部２０１Ｃは、図５に示すように遮光領域Ｍ２となるように遮光領域のサイズを変更する。また、黒点制御部２０１Ｃは、図６に示すように対物レンズユニット１０１Ｂに対応した位置に黒点板１３８Ｒ、１３８Ｇを移動させる。或いは、黒点制御部２０１Ｃは、図７に示すように当該光路から黒点板１３８Ｒ、１３８Ｇを退避させる。それにより、高倍率撮影モードに設定されているときの光学配置に対応したゴーストの除去が可能になる。
【０１０３】
（Ｓ１３）
主制御部２０１は、Ｓ９において取得されたＳＬＯ画像においてＵＩ部２３０を用いたユーザによる撮影部位の指定を受け付ける。
【０１０４】
（Ｓ１４）
制御部２００は、前眼部撮影系１２０により被検眼Ｅの前眼部を撮影することにより前眼部画像を取得する。
【０１０５】
（Ｓ１５）
アライメント制御部２０１Ａは、前述のようにＳ１４において取得された前眼部画像に基づいて移動機構１００Ｄを制御することにより、被検眼Ｅに対する光学系１００及び対物レンズ系１１０の位置合わせを行う（Ｘ方向、Ｙ方向及びＺ方向）。
【０１０６】
（Ｓ１６）
制御部２００は、光スキャナ１３６、１４２のそれぞれを初期位置に移動させる。
【０１０７】
（Ｓ１７）
制御部２００は、Ｓ５と同様に、ＳＬＯ光源１３１Ｒ、１３１Ｇからの光で被検眼Ｅの眼底Ｅｆのスキャンを開始させる。ＳＬＯ画像形成部２１０Ａは、検出器１３５Ｒ、１３５Ｇによる眼底反射光の検出結果に基づいて眼底ＥｆのＳＬＯ画像（赤色ＳＬＯ画像、緑色ＳＬＯ画像、又はこれらを合成したＳＬＯ画像）を形成する。また、制御部２００は、ＯＣＴ光源１５１からの光に基づく測定光ＬＳで被検眼Ｅの眼底Ｅｆのスキャンを開始させる。ＯＣＴ画像形成部２１０Ｂは、検出器１５５による干渉光の検出結果に基づいて眼底ＥｆのＯＣＴ画像を形成する。Ｓ１７においても、Ｓ５と同様に、トラッキング制御部２０１Ｂは、ＳＬＯ画像に対するトラッキング制御とＯＣＴ画像に対するトラッキング制御とを開始してもよい。
【０１０８】
（Ｓ１８）
アライメント制御部２０１Ａは、前眼部撮影系１２０により得られた前眼部画像又はＳ１５において得られたＳＬＯ画像から網膜のフォーカス方向のアライメントを行う。
【０１０９】
（Ｓ１９）
主制御部２０１は、ＯＣＴ光学系１４０により得られた干渉光の検出信号に基づいてＯＣＴ光学系１４０の焦点位置を変更する。主制御部２０１は、例えば、所定の干渉光の検出信号の振幅が最大となるように移動機構１４１Ｄを制御することによりＯＣＴ光学系１４０の焦点位置を変更する。
【０１１０】
（Ｓ２０）
制御部２００は、再び、光スキャナ１３６を制御することによりＳＬＯ光源１３１Ｒ、１３１Ｇからの光で被検眼Ｅの眼底Ｅｆのスキャンを開始させる。ＳＬＯ画像形成部２１０Ａは、検出器１３５Ｒ、１３５Ｇによる眼底反射光の検出結果に基づいて眼底ＥｆのＳＬＯ画像（赤色ＳＬＯ画像、緑色ＳＬＯ画像、又はこれらを合成したＳＬＯ画像）を形成する。また、制御部２００は、再び、光スキャナ１４２を制御することによりＯＣＴ光源１５１からの光に基づく測定光ＬＳで被検眼Ｅの眼底Ｅｆのスキャンを開始させる。ＯＣＴ画像形成部２１０Ｂは、検出器１５５による干渉光の検出結果に基づいて眼底ＥｆのＯＣＴ画像を形成する。Ｓ２０で得られたＳＬＯ画像及びＯＣＴ画像のそれぞれは高倍率画像である。
【０１１１】
以上のように、例えば、図１０に示すように、Ｓ９において取得された眼底の広角画像Ｇ１中で注目したい撮影部位Ｒ１（例えば、視神経乳頭近傍の部位）について高倍率で撮影した高倍率画像Ｇ２を取得することが可能になる。また、例えば、図１１に示すように、Ｓ９において取得された眼底の広角の断層像Ｈ１中で注目したい撮影部位Ｒ２（例えば、視神経乳頭近傍の部位）について高倍率で撮影した高倍率の断層像Ｈ２を取得することが可能になる。
【０１１２】
（Ｓ２１）
次に、制御部２００は、他の部位の撮影を行うか否かを判定する。主制御部２０１は、ＵＩ部２３０に対する操作内容に基づいて、他の部位の撮影を行うか否かを判定する。他の部位の撮影を行うと判定されたとき（Ｓ２１：Ｙ）、眼科撮影装置の動作はＳ１３に移行する。他の部位の撮影を行わないと判定されたとき（Ｓ２１：Ｎ）、眼科撮影装置の動作は終了する（エンド）。
【０１１３】
（第２動作例）
図１２及び図１３に、実施形態に係る眼科撮影装置の第２動作例を示す。図１２及び図１３は、実施形態に係る眼科撮影装置の第２動作例のフロー図を表す。
【０１１４】
（Ｓ３１〜Ｓ３５）
Ｓ３１〜Ｓ３５は、Ｓ１〜Ｓ５と同様であるため説明を省略する。
【０１１５】
（Ｓ３６）
角膜情報算出部２２０Ａは、別途に取得された被検眼Ｅの前眼部のＯＣＴ画像を解析して角膜頂点と角膜曲率中心とを特定する。前眼部のＯＣＴ画像は、Ｓ３５又はＳ３６においてＯＣＴ光学系１４０を用いて取得されたものであってよい。例えば、角膜情報算出部２２０Ａは、角膜前面の近似円を求め、この近似円の中心を角膜曲率中心として特定する。角膜情報算出部２２０Ａは、ＯＣＴ画像から特定された角膜頂点と、上記のように特定された角膜曲率中心との距離を角膜曲率半径として求め、求められた角膜曲率半径から角膜曲率を求める。
【０１１６】
（Ｓ３７）
黒点制御部２０１Ｃは、対物レンズユニットの種別（撮影モード）とＳ３６において求められた角膜曲率とに応じて黒点板１３８Ｒ、１３８Ｇの位置等を変更する。例えば、黒点制御部２０１Ｃは、上記のように記憶部２０２に記憶された制御情報を参照することにより、黒点板１３８Ｒ、１３８Ｇの位置等を制御する。それにより、広角撮影モードに設定されているときの光学配置と被検眼Ｅの角膜曲率とに対応したゴーストの除去が可能になる。
【０１１７】
（Ｓ３８〜Ｓ４７）
Ｓ３８〜Ｓ４７は、Ｓ７〜Ｓ１１及びＳ１３〜１７と同様であるため説明を省略する。
【０１１８】
（Ｓ４８）
黒点制御部２０１Ｃは、対物レンズユニットの種別（撮影モード）とＳ３６において求められた角膜曲率とに応じて黒点板１３８Ｒ、１３８Ｇの位置等を変更する。例えば、黒点制御部２０１Ｃは、上記のように記憶部２０２に記憶された制御情報を参照することにより、黒点板１３８Ｒ、１３８Ｇの位置等を制御する。それにより、高倍率撮影モードに設定されているときの光学配置と被検眼Ｅの角膜曲率とに対応したゴーストの除去が可能になる。
【０１１９】
（Ｓ４９〜Ｓ５２）
Ｓ４９〜Ｓ５２は、Ｓ１８〜Ｓ２１と同様であるため説明を省略する。
【０１２０】
＜変形例＞
実施形態に係る光学系の構成は図１及び図３に示す構成である場合について説明したが、実施形態に係る光学系の構成はこれに限定されるものではない。
【０１２１】
図１４に、実施形態の変形例に係る光学系の構成例を示す。図１４において、図１と同様の部分には同一符号を付し、適宜説明を省略する。
【０１２２】
変形例に係る光学系１００ａの構成が実施形態に係る光学系１００の構成と異なる点は、ＳＬＯ光学系１３０に代えてＳＬＯ光学系１３０ａが設けられている点である。ＳＬＯ光学系１３０ａでは、ＳＬＯ光源１３１、コリメートレンズ１３２、ビームスプリッタＢＳ２、集光レンズ１３３、共焦点絞り１３４、及び検出器１３５が、赤色光学系と緑色光学系とで共用されている。波長が長いほど角膜から角膜反射像の共役位置までの距離が長くなるため、ビームスプリッタＢＳ２と集光レンズ１３３との間には、ビームスプリッタＢＳ２の側から黒点板１３８Ｇと黒点板１３８Ｒとの順序で配置されている。黒点板１３８Ｇは、被検眼ＥからのＳＬＯ光の戻り光の光路において、角膜前面の反射により角膜反射像が形成される位置と光学的に共役な位置（角膜反射像共役位置Ｒｇ）に配置されている。黒点板１３８Ｒは、被検眼ＥからのＳＬＯ光の戻り光の光路において、角膜前面の反射により角膜反射像が形成される位置と光学的に共役な位置（角膜反射像共役位置Ｒｒ）に配置されている。ＳＬＯ光源１３１には、赤色ＳＬＯ光及び緑色ＳＬＯ光を含む光を発するものが用いられる。この場合、ＳＬＯ光源１３１等が共用化されるため、構成を簡素化することができる。
【０１２３】
ビームスプリッタＢＳ２は実施形態に係る「光路結合部材」の一例である。黒点板１３８Ｒ、１３８Ｇの一方は実施形態に係る「第１遮光部材」の一例であり、他方は実施形態に係る「第２遮光部材」の一例である。赤色ＳＬＯ光及び緑色ＳＬＯ光の一方は実施形態に係る「第１波長帯光」の一例であり、他方は「第２波長帯光」の一例である。
【０１２４】
以上に示された実施形態又はその変形例は、この発明を実施するための一例に過ぎない。この発明を実施しようとする者は、この発明の要旨の範囲内において任意の変形、省略、追加等を施すことが可能である。
【０１２５】
実施形態に係る制御部２００は、広角撮影モードのときの作動距離（ワーキングディスタンス）が高倍率撮影モードのときの作動距離より短くなるように少なくとも対物レンズ系１１０（光学系１００）を移動させてもよい。
【０１２６】
実施形態に係る光学系は、レーザー光を眼底における治療部位に照射するための光学系や、被検眼に固視させた状態で視標を移動させるための光学系などを備えていてもよい。
【０１２７】
前述の実施形態では、対物レンズ系１１０の構成が図１〜図３に示す構成である場合について説明したが、実施形態に係る対物レンズ系の構成はこれに限定されるものではない。
【０１２８】
実施形態に係る前眼部撮影系は、互いに異なる２以上の方向から被検眼Ｅの前眼部を撮影するための２以上のカメラを含んでいてもよい。この場合、実施形態に係るアライメント制御部２０１Ａは、これらのカメラを用いて取得された互いに異なる２以上の方向からの前眼部の撮影画像に基づいて得られる視差からＺ方向のアライメントを実行することが可能である。
【０１２９】
前述の実施形態では、前眼部撮影系１２０を用いて取得された前眼部画像を用いてアライメントを行う場合について説明したが、取得された前眼部画像をＵＩ部２３０に設けられた表示デバイスに表示させてもよい。また、取得された前眼部画像をアライメントに用いなくてもよい。
【０１３０】
［効果］
実施形態に係る眼科撮影装置の効果について説明する。
【０１３１】
実施形態に係る眼科撮影装置は、投射系（ＳＬＯ光源１３１Ｒ、１３１Ｇ、コリメートレンズ１３２Ｒ、１３２Ｇ、光スキャナ１３６及びレンズ１３７）と、受光系（検出器１３５Ｒ、１３５Ｇ、共焦点絞り１３４Ｒ、１３４Ｇ及び集光レンズ１３３Ｒ、１３３Ｇ）と、画像形成部（画像形成部２１０）と、制御部（制御部２００）とを含む。投射系は、第１光源（ＳＬＯ光源１３１Ｒ、１３１Ｇ）からの光（赤色ＳＬＯ光、緑色ＳＬＯ光）を偏向し、偏向された光を被検眼（被検眼Ｅ）に投射する。受光系は、投射系により投射された光の被検眼からの戻り光の一部を遮光する遮光領域が設けられた遮光部材（黒点板１３８Ｒ、１３８Ｇ）を含み、遮光部材を通過又は反射した戻り光を受光する。画像形成部は、受光系による受光結果に基づいて画像を形成する。制御部は、遮光部材の位置、遮光領域の位置及び遮光領域の形態の少なくとも１つを変更する。
【０１３２】
このような構成によれば、被検眼に光を投射し、その戻り光の一部を遮光する遮光領域が設けられた遮光部材を受光系に設け、制御部により遮光部材の位置、遮光領域の位置及び遮光領域の形態の少なくとも１つを変更するようにしたので、光学系の配置関係が変化する場合や角倍率や収差が変化する場合であってもゴーストの描出が抑制された画像の取得が可能になる。
【０１３３】
また、実施形態に係る眼科撮影装置は、画角を変更するための画角変更部（画角変更機構１１５）を含み、制御部は、画角変更部により設定された画角に応じて遮光部材の位置、遮光領域の位置及び遮光領域の形態の少なくとも１つを変更してもよい。
【０１３４】
このような構成によれば、画角の変更により光学系の配置関係が変化する場合であってもゴーストの描出が抑制された画像の取得が可能になる。
【０１３５】
また、実施形態に係る眼科撮影装置では、制御部は、被検眼の視度に応じて遮光部材の位置、遮光領域の位置及び遮光領域の形態の少なくとも１つを変更してもよい。
【０１３６】
このような構成によれば、被検眼の視度に応じて視度調整が行われ、受光系等の光学系の配置関係が変化する場合であってもゴーストの描出が抑制された画像の取得が可能になる。
【０１３７】
また、実施形態に係る眼科撮影装置では、制御部は、被検眼の角膜の形状を表す角膜情報に応じて遮光部材の位置、遮光領域の位置及び遮光領域の形態の少なくとも１つを変更してもよい。
【０１３８】
このような構成によれば、被検眼の角膜の形状によって当該角膜よる反射像の共役点の位置が変化する場合であってもゴーストの描出が抑制された画像の取得が可能になる。
【０１３９】
また、実施形態に係る眼科撮影装置は、操作部（ＵＩ部２３０に含まれる操作デバイス）を含み、角膜情報は、操作部を用いて指定されてもよい。
【０１４０】
このような構成によれば、指定された被検眼の角膜の形状によって当該角膜よる反射像の共役点の位置が変化する場合であってもゴーストの描出が抑制された画像の取得が可能になる。
【０１４１】
また、実施形態に係る眼科撮影装置は、第２光源（ＯＣＴ光源１５１）からの光（光Ｌ０）に基づく測定光（測定光ＬＳ）を被検眼に投射し、その戻り光と第２光源からの光に基づく参照光（参照光ＬＲ）との干渉光（干渉光ＬＣ）を受光する干渉光学系（干渉光学系１５０）と、干渉光学系による受光結果に基づいて角膜情報を求める角膜情報算出部（角膜情報算出部２２０Ａ）と、を含んでもよい。
【０１４２】
このような構成によれば、干渉光学系により被検眼の角膜情報を求め、求められた角膜情報に応じて遮光部材の位置、遮光領域の位置及び遮光領域の形態の少なくとも１つを変更するようにしたので、被検眼の角膜の形状によって当該角膜よる反射像の共役点の位置が変化する場合であってもゴーストの描出が抑制された画像の取得が可能になる。
【０１４３】
また、実施形態に係る眼科撮影装置では、遮光部材の位置の変更は、受光系の光軸に沿った方向における位置の変更を含んでもよい。
【０１４４】
このような構成によれば、受光系の光軸に沿った方向に遮光部材の位置を変更するようにしたので、光学系の配置関係が変化する場合や角倍率や収差が変化する場合であっても簡素な構成でゴーストの描出が抑制された画像の取得が可能になる。
【０１４５】
また、実施形態に係る眼科撮影装置では、遮光部材の位置の変更は、受光系の光路への挿入及び当該光路からの退避の少なくとも一方を含んでもよい。
【０１４６】
このような構成によれば、受光系の光路に対して遮光部材を挿脱させるようにしたので、光学系の配置関係が変化する場合や角倍率や収差が変化する場合であっても簡素な構成でゴーストの描出が抑制された画像の取得が可能になる。
【０１４７】
また、実施形態に係る眼科撮影装置では、投射系は、第１波長帯光（赤色ＳＬＯ光）及び第２波長帯光（緑色ＳＬＯ光）を含む光を被検眼に投射し、遮光部材は、第１波長帯光の戻り光の一部を遮光する第１遮光領域が設けられた第１遮光部材（黒点板１３８Ｒ）と、第２波長帯光の戻り光の一部を遮光する第２遮光領域が設けられた第２遮光部材（黒点板１３８Ｇ）とを含み、制御部は、第１遮光部材の位置、第１遮光領域の位置及び第１遮光領域の形態の少なくとも１つを変更する第１遮光制御を実行し、第２遮光部材の位置、第２遮光領域及び第２遮光領域の形態の少なくとも１つを変更する第２遮光制御を実行してもよい。
【０１４８】
このような構成によれば、波長帯ごとに遮光部材を設け、遮光部材の位置、遮光領域の位置及び遮光領域の形態の少なくとも１つを変更するようにしたので、波長ごとに異なる位置に角膜よる反射像が形成される場合であってもゴーストの描出が抑制された画像の取得が可能になる。
【０１４９】
また、実施形態に係る眼科撮影装置は、投射系（ＳＬＯ光源１３１、コリメートレンズ１３２、光スキャナ１３６及びレンズ１３７）の光路に受光系（検出器１３５、共焦点絞り１３４及び集光レンズ１３３）の光路を結合する光路結合部材（ビームスプリッタＢＳ２）を含み、受光系は、第１遮光部材を通過又は反射した第１波長帯光の戻り光と第２遮光部材を通過又は反射した第２波長帯光の戻り光とを検出する検出器（検出器１３５）を含み、第１遮光部材及び第２遮光部材は、光路結合部材と検出器との間に配置されていてもよい。
【０１５０】
このような構成によれば、受光系の光路上に複数の遮光部材を配置し、検出器を共用化するようにしたので、構成を簡素化することができる。
【０１５１】
また、実施形態に係る眼科撮影装置は、投射系により投射された光の被検眼の角膜からの反射光により形成された像をリレーするリレー光学系（リレー光学系１３９）を含み、遮光部材は、像が形成された位置と光学的に共役な位置に配置されていてもよい。
【０１５２】
このような構成によれば、角膜よる反射像の共役点の位置をリレー光学系によりリレーするようにしたので、受光系の光学素子の配置の自由度を向上させることができる。
【符号の説明】
【０１５３】
１００  光学系
１１０  対物レンズ系
１１０Ａ、１１０Ｂ  対物レンズユニット
１１５  画角変更機構
１２０  前眼部撮影系
１３０  ＳＬＯ光学系
１３８Ｒ、１３８Ｇ  黒点板
１４０  ＯＣＴ光学系
１５０  干渉光学系
２００  制御部
２１０  画像形成部
【図１】
2017148097.tif 000003
【図２】
2017148097.tif 000004
【図３】
2017148097.tif 000005
【図４】
2017148097.tif 000006
【図５】
2017148097.tif 000007
【図６】
2017148097.tif 000008
【図７】
2017148097.tif 000009
【図８】
2017148097.tif 000010
【図９】
2017148097.tif 000011
【図１０】
2017148097.tif 000012
【図１１】
2017148097.tif 000013
【図１２】
2017148097.tif 000014
【図１３】
2017148097.tif 000015
【図１４】
2017148097.tif 000016